(57)【要約】【課題】複数台の機器を一括して制御する際に、より適切な制御が可能となる表示制御システム、表示制御方法、及び表示制御プログラムを提供することを目的とする。【解決手段】一括制御画面Ｓａ１〜Ｓａ３は、それぞれ「エアコン」、「照明装置」、「シャッター」のグループについての一括制御画面である。一括制御画面Ｓａ１は、個別状態オブジェクトＲａ２と、一括制御オブジェクトＢａ１と、を含んでいる。個別状態オブジェクトＲａ２は、一括制御画面Ｓａ１の対象となるグループに属する２台以上の機器の各々の状態を表すオブジェクトである。一括制御オブジェクトＢａ１は、一括制御画面Ｓａ１の対象となるグループに属する２台以上の機器に対する一括制御を指示するためのオブジェクトである。【選択図】図１
2018007158.tif 000002
【特許請求の範囲】
【請求項１】
機器制御システムに指示を与える情報端末の表示部に表示させる画面を生成する画面生成部を備え、
前記機器制御システムは、制御対象である複数台の機器のうち同一種別の２台以上の機器からなるグループを少なくとも１つ設定し、同一の前記グループに属する前記２台以上の機器を一括して制御する一括制御と、同一の前記グループに属する前記２台以上の機器を個別に制御する個別制御と、の２種類の制御を行うように構成されており、
前記画面生成部は、
同一の前記グループに属する前記２台以上の機器に対する前記一括制御を指示するための一括制御オブジェクトと、同一の前記グループに属する前記２台以上の機器の各々の状態を表す個別状態オブジェクトとを含む一括制御画面を、前記グループごとに前記表示部に表示させるように構成されている、
表示制御システム。
【請求項２】
前記画面生成部は、
同一の前記グループに属する前記２台以上の機器の各々に対する前記個別制御を指示するための個別制御オブジェクトを含む個別制御画面を、前記表示部に表示させるように構成されており、
前記一括制御画面には、前記個別制御画面に遷移するための遷移オブジェクトが含まれている、
請求項１に記載の表示制御システム。
【請求項３】
前記画面生成部は、
前記機器制御システムの制御対象である前記複数台の機器のうち、前記複数台の機器を種別ごとに複数の制御単位に分類したときに１台の機器からなる制御単位については、前記一括制御画面に代えて、前記個別制御画面を前記表示部に表示させるように構成されている、
請求項２に記載の表示制御システム。
【請求項４】
前記個別制御画面には、前記一括制御で制御される内容よりも詳細な詳細制御を指示するための詳細制御オブジェクトが含まれている、
請求項２又は３に記載の表示制御システム。
【請求項５】
前記グループは複数設定されており、
前記画面生成部は、
前記複数のグループのうち少なくとも２つ以上のグループについての前記一括制御画面を、前記表示部に一覧表示させるように構成されている、
請求項１〜４のいずれか１項に記載の表示制御システム。
【請求項６】
前記画面生成部は、
前記グループに属する前記２台以上の機器の種別によって、前記一括制御オブジェクトの表示態様を変更するように構成されている、
請求項１〜５のいずれか１項に記載の表示制御システム。
【請求項７】
機器制御システムに指示を与える情報端末の表示部に表示させる画面を生成する画面生成ステップを有し、
前記機器制御システムは、制御対象である複数台の機器のうち同一種別の２台以上の機器からなるグループを少なくとも１つ設定し、同一の前記グループに属する前記２台以上の機器を一括して制御する一括制御と、同一の前記グループに属する前記２台以上の機器を個別に制御する個別制御と、の２種類の制御を行うように構成されており、
前記画面生成ステップでは、
コンピュータシステムにより、同一の前記グループに属する前記２台以上の機器に対する前記一括制御を指示するための一括制御オブジェクトと、同一の前記グループに属する前記２台以上の機器の各々の状態を表す個別状態オブジェクトとを含む一括制御画面を、前記グループごとに前記表示部に表示させる処理である、
表示制御方法。
【請求項８】
コンピュータシステムを、機器制御システムに指示を与える情報端末の表示部に表示させる画面を生成する画面生成部として機能させるための表示制御プログラムであって、
前記機器制御システムは、制御対象である複数台の機器のうち同一種別の２台以上の機器からなるグループを少なくとも１つ設定し、同一の前記グループに属する前記２台以上の機器を一括して制御する一括制御と、同一の前記グループに属する前記２台以上の機器を個別に制御する個別制御と、の２種類の制御を行うように構成されており、
前記画面生成部は、
同一の前記グループに属する前記２台以上の機器に対する前記一括制御を指示するための一括制御オブジェクトと、同一の前記グループに属する前記２台以上の機器の各々の状態を表す個別状態オブジェクトとを含む一括制御画面を、前記グループごとに前記表示部に表示させるように構成されている、
表示制御プログラム。
【発明の詳細な説明】
【技術分野】
【０００１】
本発明は、一般に表示制御システム、表示制御方法、及び表示制御プログラムに関し、より詳細には、表示部に表示させる画面を生成する表示制御システム、表示制御方法、及び表示制御プログラムに関する。
【背景技術】
【０００２】
従来、様々な制御システム、特に１以上の機器を制御する制御システムが提供されている。このような制御システムの一種として、特許文献１は、エネルギー機器制御システムを開示する。特許文献１のエネルギー機器制御システムは、エネルギー機器（機器）、ホームサーバ、及び端末を含む。このエネルギー機器制御システムでは、ユーザは、端末に表示されるリモコン操作画面を用いて、ホームサーバにより機器を制御することができる。
【０００３】
また、この特許文献１は、複数台のエアコンの運転状態や操作ボタンを表示する画面を開示する。この画面は、エアコン１台ごとの詳細操作画面を表示させるための詳細表示ボタンを備える。詳細表示ボタンがクリックされると、ポップアップ画面で詳細表示画面が表示され、個々のエアコンの運転状態を表示する。
【先行技術文献】
【特許文献】
【０００４】
【特許文献１】特開２０１４−１８７４７６号公報
【発明の概要】
【発明が解決しようとする課題】
【０００５】
しかし、特許文献１のシステムでは、複数台の機器を一括して制御するための画面には、個々の機器の運転状態は表示されていない。そのため、ユーザは、複数台の機器を一括して制御する際に、個々の機器の状態に合わせた適切な制御をすることが困難である。
【０００６】
本発明は上記事由に鑑みてなされており、複数台の機器を一括して制御する際に、より適切な制御が可能となる表示制御システム、表示制御方法、及び表示制御プログラムを提供することを目的とする。
【課題を解決するための手段】
【０００７】
本発明の一態様に係る表示制御システムは、機器制御システムに指示を与える情報端末の表示部に表示させる画面を生成する画面生成部を備える。前記機器制御システムは、制御対象である複数台の機器のうち同一種別の２台以上の機器からなるグループを少なくとも１つ設定する。前記機器制御システムは、同一の前記グループに属する前記２台以上の機器を一括して制御する一括制御と、同一の前記グループに属する前記２台以上の機器を個別に制御する個別制御と、の２種類の制御を行うように構成されている。前記画面生成部は、一括制御オブジェクトと、個別状態オブジェクトとを含む一括制御画面を、前記グループごとに前記表示部に表示させるように構成されている。前記一括制御オブジェクトは、同一の前記グループに属する前記２台以上の機器に対する前記一括制御を指示するためのオブジェクトである。前記個別状態オブジェクトは、同一の前記グループに属する前記２台以上の機器の各々の状態を表すオブジェクトである。
【０００８】
本発明の一態様に係る表示制御方法は、機器制御システムに指示を与える情報端末の表示部に表示させる画面を生成する画面生成ステップを有する。前記機器制御システムは、制御対象である複数台の機器のうち同一種別の２台以上の機器からなるグループを少なくとも１つ設定する。前記機器制御システムは、同一の前記グループに属する前記２台以上の機器を一括して制御する一括制御と、同一の前記グループに属する前記２台以上の機器を個別に制御する個別制御と、の２種類の制御を行うように構成されている。前記画面生成ステップでは、コンピュータシステムにより、一括制御オブジェクトと、個別状態オブジェクトとを含む一括制御画面を、前記グループごとに前記表示部に表示させる。前記一括制御オブジェクトは、同一の前記グループに属する前記２台以上の機器に対する前記一括制御を指示するためのオブジェクトである。前記個別状態オブジェクトは、同一の前記グループに属する前記２台以上の機器の各々の状態を表すオブジェクトである。
【０００９】
本発明の一態様に係る表示制御プログラムは、コンピュータシステムを、機器制御システムに指示を与える情報端末の表示部に表示させる画面を生成する画面生成部として機能させるためのプログラムである。前記機器制御システムは、制御対象である複数台の機器のうち同一種別の２台以上の機器からなるグループを少なくとも１つ設定する。前記機器制御システムは、同一の前記グループに属する前記２台以上の機器を一括して制御する一括制御と、同一の前記グループに属する前記２台以上の機器を個別に制御する個別制御と、の２種類の制御を行うように構成されている。前記画面生成部は、一括制御オブジェクトと、個別状態オブジェクトとを含む一括制御画面を、前記グループごとに前記表示部に表示させるように構成されている。前記一括制御オブジェクトは、同一の前記グループに属する前記２台以上の機器に対する前記一括制御を指示するためのオブジェクトである。前記個別状態オブジェクトは、同一の前記グループに属する前記２台以上の機器の各々の状態を表すオブジェクトである。
【発明の効果】
【００１０】
本発明は、複数台の機器を一括して制御する際に、より適切な制御が可能となる、という利点がある。
【図面の簡単な説明】
【００１１】
【図１】図１は、本発明の実施形態１に係る表示制御システムにて情報端末の表示部に表示される第１操作画面の説明図である。
【図２】図２は、同上の表示制御システムの構成を示すブロック図である。
【図３】図３は、同上の表示制御システムを実現するコンピュータシステムの全体構成を示すシステム構成図である。
【図４】図４は、同上の表示制御システムにて情報端末の表示部に表示される第２操作画面の説明図である。
【図５】図５は、同上の表示制御システムにて情報端末の表示部に表示される第３操作画面の説明図である。
【図６】図６は、本発明の実施形態２に係る表示制御システムにて情報端末の表示部に表示される第１操作画面の説明図である。
【発明を実施するための形態】
【００１２】
（実施形態１）
（１）概要
本実施形態に係る表示制御システム１０は、図２に示すように、情報端末１Ａの表示部１１に表示させる画面を生成するためのシステムである。ここでいう情報端末１Ａは、機器（電気機器）を制御する機器制御システム２０に、指示を与えるために用いられる情報端末である。ここでいう「画面」は、表示部１１に映し出される像（画像等）である。
【００１３】
すなわち、機器制御システム２０は、情報端末１Ａをユーザインタフェースとし、情報端末１Ａから与えられる指示に従って、制御対象である機器の制御を実行する。ここで、情報端末１Ａの表示部１１には、例えば図１に示すように、機器の制御に関連するユーザの操作を支援するための第１操作画面Ｇ１０が表示される。この第１操作画面Ｇ１０に従って、情報端末１Ａに対してユーザが所望の操作を行うことにより、情報端末１Ａから機器制御システム２０に対して、所望の制御を実行させるための指示が出力される。
【００１４】
本実施形態に係る表示制御システム１０は、例えば上記第１操作画面Ｇ１０のような画面を生成して、情報端末１Ａの表示部１１に表示させるシステムである。これにより、情報端末１Ａは、機器制御システム２０のユーザインタフェースとして機能し、ユーザの操作を支援するための情報の表示、及びユーザの操作の受け付けを行う。
【００１５】
本実施形態に係る表示制御システム１０及び機器制御システム２０は、例えば、図３に示すようなコンピュータシステム１００にて実現される。コンピュータシステム１００は、情報端末１Ａ，１Ｂ，１Ｃ、コントローラ２、及びサーバ装置３を備えている。これら情報端末１Ａ，１Ｂ，１Ｃ、コントローラ２、及びサーバ装置３は、例えばインターネット等のネットワーク４を介して接続されている。図３の例では、情報端末１Ａ，１Ｂ、及びコントローラ２は、ルータ５を介してネットワーク４に接続されている。ただし、ルータ５は、コンピュータシステム１００に必須の構成ではない。機器制御システム２０の制御対象である機器は、例えば住宅等の施設２００に設置される電気機器である。本実施形態では、戸建住宅を施設２００の一例として説明する。施設２００は、集合住宅の各住戸等の戸建住宅以外の住宅、又は事務所、店舗等の非住宅であってもよい。
【００１６】
情報端末１Ａ，１Ｂ，１Ｃは、施設２００に対応付けて登録されている。具体的には、例えば、コントローラ２及びサーバ装置３は、施設２００に対応付けて登録されている情報端末が、情報端末１Ａ，１Ｂ，１Ｃであるという情報を記憶している。１つの施設２００に対応付けて登録される情報端末は、１台であってもよいし、複数台であってもよい。図３の例では、施設２００内で使用される専用モニタである情報端末１Ａ、施設２００内にあるスマートフォンである情報端末１Ｂ、及び施設２００外にあるスマートフォンである情報端末１Ｃの３台が、情報端末として用いられる。以下、これら３台の情報端末１Ａ，１Ｂ，１Ｃを特に区別しない場合、各々を「情報端末１」と呼ぶ。
【００１７】
本実施形態では、情報端末１のユーザは、施設２００の使用者であると仮定して説明する。ここでいう「施設２００の使用者」は、施設２００を使用する人を意味し、施設２００が住宅である本実施形態においては、施設２００の住人である。施設２００の住人が複数人である場合には、「施設２００の使用者」は、複数の住人のうちの一人を指すこともあり、二人以上（全員も含む）を指すこともある。以下では「施設２００の使用者」を単に「住人」ともいう。
【００１８】
サーバ装置３は、ＣＰＵ（Central Processing Unit）、メモリ、及び通信インタフェースを有するコンピュータを主構成とする。サーバ装置３は、ネットワーク４を介してコントローラ２から様々な情報を取得したり、ネットワーク４を介して情報端末１に様々なコンテンツを提供したりする。コンテンツは、例えば、施設２００の電気エネルギーの使用状況に関する情報などを含む。
【００１９】
また、実際には、機器制御システム２０は複数の施設２００に導入され、複数の施設２００には複数のコントローラ２がそれぞれ設置される。そして、これら複数のコントローラ２が、ネットワーク４を介してサーバ装置３に接続される。ただし、本実施形態では、説明を簡単にするために、１つの施設２００に着目して説明する。
【００２０】
（２）詳細
（２．１）機器制御システム
まず、本実施形態に係る表示制御システム１０と併せて用いられる機器制御システム２０の構成について、図２及び図３を参照しながら説明する。本実施形態では、機器制御システム２０としての機能は、コントローラ２によって実現される。
【００２１】
コントローラ２は、ＣＰＵ、メモリ、及び通信インタフェースを有するコンピュータを主構成とする。コントローラ２は、施設２００に設置されている。コントローラ２は、いわゆるＨＥＭＳ（Home Energy Management System）コントローラであって、施設２００に設置されているＨＥＭＳ対応の機器と通信し、機器の動作状態の監視又は制御を行う。
【００２２】
すなわち、コントローラ２は、施設２００に設置される機器（電気機器）との通信機能を有している。コントローラ２と機器との間の通信方式は、例えば、有線通信、又は、Ｗｉ−Ｆｉ（登録商標）及び免許を必要としない小電力無線（特定小電力無線）等の無線通信である。この種の小電力無線については、用途等に応じて使用する周波数帯域や空中線電力などの仕様が各国で規定されている。日本国においては、９２０ＭＨｚ帯又は４２０ＭＨｚ帯の電波を使用する小電力無線が規定されている。
【００２３】
コントローラ２と通信可能な機器は、機器制御システム２０の制御対象である機器（以下、「制御対象機器」ともいう）の他、及びコントローラ２に計測情報を提供する計測機器を含んでいる。つまり、コントローラ２は、施設２００に設置される制御対象機器を制御する機能を有している。さらに、コントローラ２は、計測機器から施設２００に関する計測情報を取得する機能を有している。
【００２４】
制御対象機器は、コントローラ２からの制御コマンドに応じて動作するように構成されている。制御対象機器は、例えば、エアコン（エアーコンディショナ）４１Ａ，４１Ｂ，４１Ｃ、照明装置４２Ａ，４２Ｂ，４２Ｃ，４２Ｄ、シャッター（電動シャッター）４３Ａ，４３Ｂ，４３Ｃ，４３Ｄ、及び給湯機４４等である。以下、３台のエアコン４１Ａ，４１Ｂ，４１Ｃを特に区別しない場合、各々を「エアコン４１」と呼ぶ。同様に、４台の照明装置４２Ａ，４２Ｂ，４２Ｃ，４２Ｄを特に区別しない場合、各々を「照明装置４２」と呼び、４台のシャッター４３Ａ，４３Ｂ，４３Ｃ，４３Ｄを特に区別しない場合、各々を「シャッター４３」と呼ぶ。
【００２５】
エアコン４１は、コントローラ２からの制御コマンドに応じて、運転又は停止する機能を有する。また、エアコン４１は、コントローラ２からの制御コマンドに応じて、運転モードや、温度設定値、風量、風向き等を設定する機能を有する。照明装置４２は、コントローラ２からの制御コマンドに応じて、点灯又は消灯する機能を有する。さらに、照明装置４２は、コントローラ２からの制御コマンドに応じて、明るさを調整する「調光機能」を有する。シャッター４３は、コントローラ２からの制御コマンドに応じて、開閉する機能を有する。さらに、シャッター４３は、コントローラ２からの制御コマンドに応じて、開度レベルを、０％（全閉）〜１００％（全開）の間で調節する機能を有する。また、ブラインド型のシャッター４３であれば、シャッター４３は、コントローラ２からの制御コマンドに応じて、ブラインドの角度を調節する機能を有してもよい。給湯機４４は、コントローラ２からの制御コマンドに応じて、自動又は手動により、浴槽に湯を入れる「湯張り機能」を有する。さらに、貯湯式の給湯機４４であれば、給湯機４４は、コントローラ２からの制御コマンドに応じて、自動又は手動により、貯めてある湯の沸き上げを行う「沸き増し機能」を有する。
【００２６】
計測機器は、例えば、温度センサー、湿度センサー、及び環境センサー等であって、施設２００に関する計測情報（温度、湿度、及び空気環境等）をコントローラ２に提供するように構成されている。計測機器は、設置場所における計測情報を、自発的に、又はコントローラ２からの要求に応じて、コントローラ２に出力するように構成されている。
【００２７】
また、コントローラ２においては、少なくとも、機器制御システム２０の制御対象となる機器（制御対象機器）の情報が登録されている。具体的には、コントローラ２は、制御対象機器について、例えば、種別（エアコン、照明装置、シャッター、又は給湯機等）、個々の制御対象機器を識別するための識別子（アドレス等）、及び機器の名称等の情報を記憶している。機器の名称については、情報端末１等を用いてユーザが任意に設定でき、基本的には、例えば「リビング北東側・エアコン」のように、機器が設置されている場所（エリア）と機器の種別との両方を特定可能な名称が設定される。
【００２８】
ところで、機器制御システム２０は、制御対象である複数台の機器（制御対象機器）を機器の種別（エアコン、照明装置、シャッター、又は給湯機等）によって、複数の制御単位に分類している。そして、機器制御システム２０は、同一の制御単位に分類された２台以上の機器、つまり同一種別の２台以上の機器からなるグループを、少なくとも１つ設定する。これにより、同一種別の２台以上の機器があれば、これら２台以上の機器は「グループ」を構成する機器として扱われる。
【００２９】
すなわち、図２に示すように、制御対象機器としてエアコン、照明装置、シャッター、及び給湯機の４つの種別がある場合、これら複数台の制御対象機器は、４つの制御単位Ｕ１，Ｕ２，Ｕ３，Ｕ４に分類される。ここでは、３台のエアコン４１Ａ，４１Ｂ，４１Ｃは、第１の制御単位Ｕ１に分類される。そのため、３台のエアコン４１Ａ，４１Ｂ，４１Ｃからなる「エアコン」というグループが設定される。４台の照明装置４２Ａ，４２Ｂ，４２Ｃ，４２Ｄは、第２の制御単位Ｕ２に分類される。そのため、４台の照明装置４２Ａ，４２Ｂ，４２Ｃ，４２Ｄからなる「照明装置」というグループが設定される。４台のシャッター４３Ａ，４３Ｂ，４３Ｃ，４３Ｄは、第３の制御単位Ｕ３に分類される。そのため、４台のシャッター４３Ａ，４３Ｂ，４３Ｃ，４３Ｄからなる「シャッター」というグループが設定される。一方、給湯機４４は、第４の制御単位Ｕ４に分類される。この制御単位Ｕ４は、１台の機器（給湯機４４）からなるので、給湯機４４については、グループは設定されない。
【００３０】
上述したような制御対象の分類、及びグループの設定は、機器制御システム２０（コントローラ２）が、接続された制御対象機器の種別に基づいて自動的に行う。設定されたグループは、コントローラ２に記憶される。具体的には、コントローラ２は、制御対象機器について、個々の種別、識別子及び名称等と共に、各制御対象機器が属するグループを識別するためのグループＩＤ、及びグループ名称を記憶する。グループ名称については、情報端末１等を用いてユーザが任意に設定でき、基本的には、例えば「エアコン」のように、機器の種別を特定可能な名称が設定される。ただし、制御対象の分類、及びグループの設定については、ユーザが情報端末１等を用いて手動で行ってもよい。
【００３１】
機器制御システム２０は、上述のように設定されたグループに属する制御対象機器について、一括制御と、個別制御と、の２種類の制御を行うように構成されている。「一括制御」では、機器制御システム２０は、同一のグループに属する２台以上の機器を一括して制御する。「個別制御」では、機器制御システム２０は、同一のグループに属する２台以上の機器を個別に制御する。したがって、例えば、「エアコン」のグループに属するエアコン４１Ａ，４１Ｂ，４１Ｃについて、機器制御システム２０は、「一括制御」として、エアコン４１Ａ，４１Ｂ，４１Ｃを一括して停止させる制御等が可能である。一方、機器制御システム２０は、「個別制御」として、エアコン４１Ａ，４１Ｂ，４１Ｃのうちの１台だけを停止させたり、運転させたりする制御が可能である。
【００３２】
（２．２）表示制御システム
次に、本実施形態に係る表示制御システム１０の構成について、図２及び図３を参照して説明する。本実施形態では、表示制御システム１０としての機能は、情報端末１によって実現される。とくに、本実施形態では、情報端末１Ａ，１Ｂ，１Ｃのうちの情報端末１Ａによって、表示制御システム１０としての機能が実現される場合を例に説明する。
【００３３】
情報端末１は、ユーザの操作を受け付ける機能、及びユーザに情報を提示（表示）する機能を有する端末である。情報端末１は、ＣＰＵ、メモリ、及び通信インタフェースを有するコンピュータを主構成とする。情報端末１のコンピュータは、専用のアプリケーションソフトをインストールし、このアプリケーションソフトを起動することにより、表示制御システム１０として機能する。
【００３４】
情報端末１は、図２に示すように、コンピュータからなる表示制御システム１０の他に、少なくとも、表示部１１及び入力部１２を有している。
【００３５】
表示部１１は、ユーザに情報を提示するための画面（画像等）を表示するように構成される。表示部１１は、例えば、液晶ディスプレイ、有機ＥＬ（Electro Luminescence）ディスプレイ等の画像表示装置により実現される。入力部１２は、ユーザの操作を受け付ける機能を有している。表示部１１及び入力部１２は、コンピュータからなる表示制御システム１０に接続されている。これにより、表示部１１は、表示制御システム１０から出力される映像信号に従って画面を表示でき、入力部１２が受け付けた操作に対応する電気信号が、表示制御システム１０に入力されることになる。
【００３６】
本実施形態では、情報端末１はタッチパネルディスプレイを搭載しており、タッチパネルディスプレイが表示部１１及び入力部１２として機能する。そのため、以下の説明では、表示部１１に表示される画面上のアイコンに対する種々のタッチ操作を、「タップ」、「スワイプ」、「ドラッグ」などと表現する。ただし、入力部１２は、タッチパネルディスプレイに限らず、例えばキーボードやポインティングデバイス、メカニカルなスイッチなどであってもよい。
【００３７】
情報端末１は、ルータ５を介して、又は介さずにネットワーク４に接続されることにより、コントローラ２及びサーバ装置３と通信可能に構成される。ここでは、情報端末１Ａは、ＨＥＭＳ対応の専用モニタであって、ルータ５に対して例えばＬＡＮ（Local Area Network）ケーブルで接続されている。情報端末１Ｂは、施設２００内にあるスマートフォンであるから、ルータ５との間で例えばＷｉ−Ｆｉ（登録商標）に準拠した近距離無線通信を行う。情報端末１Ｃは、施設２００外にあるスマートフォンであるから、通信事業者が提供する携帯電話網（キャリア網）を介して、ネットワーク４に接続される。携帯電話網には、例えば３Ｇ（第３世代）回線、ＬＴＥ（Long Term Evolution）回線等がある。情報端末１Ｃは、公衆無線ＬＡＮを介してネットワーク４に接続されてもよい。
【００３８】
情報端末１は、ルータ５を介さずに、コントローラ２と直接的に通信可能に構成されていてもよい。さらに、情報端末１Ａの通信方式は、有線通信に限らず、例えば、Ｗｉ−Ｆｉ（登録商標）及び免許を必要としない小電力無線（特定小電力無線）等の無線通信であってもよい。
【００３９】
表示制御システム１０は、図２に示すように、画面生成部１０１と、出力部１０２と、信号処理部１０３とを備えている。表示制御システム１０は情報端末１にて実現されているので、情報端末１とコントローラ２との間の通信により、表示制御システム１０と機器制御システム２０との間では種々の情報を授受可能である。また、本実施形態の表示制御システム１０は、表示部１１を制御して表示部１１に画面を表示させる機能だけでなく、入力部１２からの電気信号を受けて動作するように構成されている。したがって、表示制御システム１０は、入力部１２に対するユーザの操作に応じて、表示部１１に表示させる画面を変化させたり、機器制御システム２０に対して機器の制御のための指示を出力したりすることが可能である。
【００４０】
画面生成部１０１は、情報端末１Ａの表示部１１に表示させる画面を生成する。画面生成部１０１は、一括制御画面及び個別制御画面を生成し、生成した一括制御画面及び個別制御画面を、表示部１１に表示させるように構成されている。一括制御画面及び個別制御画面の詳細については、「（２．３）表示制御システムの動作」の欄で説明する。
【００４１】
出力部１０２は、画面生成部１０１で生成された画面を、映像信号として表示部１１に出力する。
【００４２】
信号処理部１０３は、情報端末１とコントローラ２との間で送受信される信号の処理を行う。これにより、表示制御システム１０と機器制御システム２０との間では種々の情報の授受が可能になる。本実施形態では少なくとも、信号処理部１０３は、コントローラ２に設定されている、制御対象機器についての、個々の種別、識別子及び名称等、グループＩＤ、及びグループ名称等の情報をコントローラ２から取得する。また、信号処理部１０３は、入力部１２に対するユーザの操作に応じて、機器制御システム２０に対して機器の制御のための指示を出力する。
【００４３】
本実施形態では、表示制御システム１０は、機器制御システム２０とは別のシステムであることとして説明する。ただし、表示制御システム１０は、機器制御システム２０とは別のシステムに限らず、例えば、コントローラ２と共に機器制御システム２０を構成するシステムであってもよい。つまり、表示制御システム１０は、本実施形態のように機器制御システム２０の構成要素に含まれなくてもよいし、機器制御システム２０の一部として、機器制御システム２０の構成要素に含まれてもよい。
【００４４】
（２．３）表示制御システムの動作
次に、本実施形態に係る表示制御システム１０の動作について、図１、図４及び図５を参照して説明する。
【００４５】
図１、図４及び図５は、情報端末１Ａの表示部１１に表示される画面の具体例を示している。図１に示す第１操作画面Ｇ１０、図４に示す第２操作画面Ｇ２０、及び図５に示す第３操作画面Ｇ３０は、いずれも機器制御システム２０での機器の制御に関連するユーザの操作を支援するための画面である。表示制御システム１０によって表示部１１に表示される画面は、階層化されており、上位側の第１操作画面Ｇ１０から、第２操作画面Ｇ２０、第３操作画面Ｇ３０の順に、遷移可能である。ここでは、２０１６年７月２７日１０時の時点での、表示制御システム１０の動作を例示する。
【００４６】
図１、図４及び図５において、領域及びボタンを示す一点鎖線及び参照符号は説明のために表記しているに過ぎず、実際には、これらの一点鎖線及び参照符号は情報端末１Ａの表示部１１に表示されない。また、図１、図４及び図５の例では、表示部１１の表示エリアが横長である情報端末１Ａに表示される画面を想定している。そのため、第１操作画面Ｇ１０、第２操作画面Ｇ２０及び第３操作画面Ｇ３０は、いずれも表示部１１の表示エリアの長手方向を横とするように、横向きに表示されている。つまり、第１操作画面Ｇ１０、第２操作画面Ｇ２０及び第３操作画面Ｇ３０は、いずれも横長の画面である。ただし、この例に限らず、第１操作画面Ｇ１０、第２操作画面Ｇ２０及び第３操作画面Ｇ３０の各々は、縦長の画面であってもよい。
【００４７】
情報端末１Ａは、基本的な動作として、アプリケーションソフトを起動したときに表示部１１に表示されるホーム画面上で、機器制御モードを選択する操作がなされると、表示部１１に第１操作画面Ｇ１０を表示する（表示ステップ）。また、情報端末１Ａは、各画面上でのボタン等のオブジェクトの操作（タップ、スワイプ、ドラッグ等）が入力部１２で検出されることをもって、ボタン等のオブジェクトが操作されたことと判断する。なお、操作可能なオブジェクトについては、符号の先頭を「Ｂ」にしている。
【００４８】
（２．３．１）第１操作画面
図１に示す第１操作画面Ｇ１０は、３つの一括制御画面Ｓａ１〜Ｓａ３、及び個別制御画面Ｓｂ１を含んでいる。一括制御画面Ｓａ１〜Ｓａ３、及び個別制御画面Ｓｂ１は、第１操作画面Ｇ１０の中央において、縦方向に２つ、横方向に２つ並ぶように配置されている。図１の例では、一括制御画面Ｓａ１の右方に個別制御画面Ｓｂ１、一括制御画面Ｓａ１の下方に一括制御画面Ｓａ２、個別制御画面Ｓｂ１の下方に一括制御画面Ｓａ３が位置する。さらに、第１操作画面Ｇ１０は、一括制御画面Ｓａ１〜Ｓａ３、及び個別制御画面Ｓｂ１の周囲に配置された、表題オブジェクトＲ１１、及びボタンＢ１１〜Ｂ１５を含んでいる。
【００４９】
表題オブジェクトＲ１１は、第１操作画面Ｇ１０の表題を表す領域であって、機器制御のアイコン（リモートコントローラのアイコン）と、「機器・センサー」という文字列とを含んでいる。ボタンＢ１１は、メニュー画面（ホーム画面）に遷移するためのボタンであって、「メニュー」という文字列を含んでいる。ボタンＢ１２は、１つ前の画面に遷移するためのボタンであって、「戻る」という文字列を含んでいる。ボタンＢ１３は、第１操作画面Ｇ１０を縦方向（上下方向）にスクロールするためのスクロールバーである。ボタンＢ１４，Ｂ１５は、機器の種別ごとの制御と、シーン制御とを切り替えるためのタブであって、ボタンＢ１４は「機器ごと」という文字列を含み、ボタンＢ１５は「家全体」という文字列を含む。ここでは、詳しい説明は省略するが、シーン制御は、例えばユーザの生活行動等の状況（例えば、起床、就寝、外出等）に応じて、機器制御システム２０に、１以上の機器を制御させるためのモードである。第１操作画面Ｇ１０は、ボタンＢ１４が選択された状態の画面であって、機器の種別ごとの制御が選択されているときに表示される画面である。
【００５０】
一括制御画面Ｓａ１〜Ｓａ３は、それぞれ「エアコン」、「照明装置」、「シャッター」のグループについての一括制御画面である。つまり、図１の例では、３つのグループについての一括制御画面が、第１操作画面Ｇ１０として、表示部１１に一覧表示されている。以下では、一括制御画面Ｓａ１〜Ｓａ３のうち、「エアコン」のグループについての一括制御画面Ｓａ１の構成を先に説明し、一括制御画面Ｓａ２，Ｓａ３において一括制御画面Ｓａ１と同様の構成の説明は省略する。
【００５１】
一括制御画面Ｓａ１は、種別オブジェクトＲａ１と、個別状態オブジェクトＲａ２と、共通状態オブジェクトＲａ３と、一括制御オブジェクトＢａ１と、遷移オブジェクトＢａ２と、を含んでいる。
【００５２】
種別オブジェクトＲａ１は、一括制御画面Ｓａ１の対象となるグループを構成する機器の種別（ここでは「エアコン」）を表すオブジェクトである。種別オブジェクトＲａ１は、機器の種別を表すアイコン、及び文字列（ここでは「エアコン」）を含んでいる。
【００５３】
個別状態オブジェクトＲａ２は、一括制御画面Ｓａ１の対象となるグループに属する機器（ここでは、エアコン４１Ａ，４１Ｂ，４１Ｃ）の各々の状態を表すオブジェクトである。ここでいう機器の状態は、例えば運転又は停止、更には運転モードや、温度設定値、風量、風向き等、機器制御システム２０で管理している機器の動作の状態である。図１の一括制御画面Ｓａ１においては、個別状態オブジェクトＲａ２は、「停止中：３」、「運転中：０」という文字列からなる。つまり、この個別状態オブジェクトＲａ２は、「エアコン」のグループに属する３台のエアコン４１Ａ，４１Ｂ，４１Ｃがいずれも停止中であることを表している。個別状態オブジェクトＲａ２の内容は、グループに属する２台以上の機器の各々の状態に応じて随時変化する。例えば、エアコン４１Ａが停止中で、エアコン４１Ｂ，４１Ｃが運転中であれば、個別状態オブジェクトＲａ２は、「停止中：２」、「運転中：１」となる。
【００５４】
共通状態オブジェクトＲａ３は、一括制御画面Ｓａ１の対象となるグループに属する全ての機器（ここでは、エアコン４１Ａ，４１Ｂ，４１Ｃ）に共通する状態を表すオブジェクトである。図１の一括制御画面Ｓａ１においては、共通状態オブジェクトＲａ３は、「停止中」という文字列からなる。つまり、この個別状態オブジェクトＲａ２は、「エアコン」のグループに属する全てのエアコン４１Ａ，４１Ｂ，４１Ｃが停止中であることを表している。共通状態オブジェクトＲａ３は、グループに属する全ての機器において共通する状態が有る場合にのみ表示され、共通する状態が無い場合には表示されない。つまり、エアコン４１Ａが停止中で、エアコン４１Ｂ，４１Ｃが運転中であれば、共通状態オブジェクトＲａ３は表示されない。さらに、本実施形態では、種別オブジェクトＲａ１中のアイコンが、共通状態オブジェクトＲａ３に連動しており、全てのエアコン４１Ａ，４１Ｂ，４１Ｃが停止中であれば、種別オブジェクトＲａ１中のアイコンは非アクティブになる。
【００５５】
一括制御オブジェクトＢａ１は、一括制御画面Ｓａ１の対象となるグループに属する機器（ここでは、エアコン４１Ａ，４１Ｂ，４１Ｃ）に対する一括制御を指示するためのオブジェクトである。ここでいう一括制御は、「（２．１）機器制御システム」の欄で説明したように、同一のグループに属する２台以上の機器を一括して制御することを意味する。図１の一括制御画面Ｓａ１においては、一括制御オブジェクトＢａ１は、「一括停止」という文字列を含むボタンの画像からなる。つまり、この一括制御オブジェクトＢａ１は、「エアコン」のグループに属する３台のエアコン４１Ａ，４１Ｂ，４１Ｃを一括して停止させる、一括制御を指示するためのオブジェクトである。
【００５６】
ただし、図１の例では、全てのエアコン４１Ａ，４１Ｂ，４１Ｃが停止中であるので、「一括停止」という一括制御は行えない。よって、図１の一括制御画面Ｓａ１においては、一括制御オブジェクトＢａ１は非アクティブであって、ユーザの操作を受け付けない状態にある。一括制御オブジェクトＢａ１等について、アクティブな状態と非アクティブな状態とをユーザが視覚的に識別できるように、アクティブな状態と非アクティブな状態とで色や明るさ等の表示態様が異なることが好ましい。
【００５７】
エアコン４１Ａ，４１Ｂ，４１Ｃのうちの１台でも運転中である状態では、一括制御オブジェクトＢａ１はアクティブになる。そのため、一括制御オブジェクトＢａ１がタップされると、表示制御システム１０から機器制御システム２０にエアコン４１Ａ，４１Ｂ，４１Ｃを一括して停止させるための指示が出力される。これにより、機器制御システム２０は、運転中のエアコン４１を停止させ、制御後のエアコン４１の状態を表す情報を、表示制御システム１０に送信する。表示制御システム１０は、機器制御システム２０から受信した情報に基づいて、一括制御画面Ｓａ１を更新する。
【００５８】
遷移オブジェクトＢａ２は、個別制御画面に遷移するためのオブジェクトである。遷移オブジェクトＢａ２は、「個別」という文字列を含むボタンの画像からなる。遷移オブジェクトＢａ２がタップされると、第１操作画面Ｇ１０から第２操作画面Ｇ２０（図４参照）に遷移する。第２操作画面Ｇ２０は、一括制御画面Ｓａ１の対象となるグループに属する機器（ここでは、エアコン４１Ａ，４１Ｂ，４１Ｃ）の個別制御のための個別制御画面Ｓｂ１１〜Ｓｂ１３（図４参照）を含んでいる。
【００５９】
また、一括制御画面Ｓａ２においては、種別オブジェクトＲａ１は「照明装置」を表すアイコン、及び「照明」という文字列を含んでいる。さらに、一括制御画面Ｓａ２の個別状態オブジェクトＲａ２は、「消灯中：１」、「点灯中：３」という文字列からなる。つまり、この個別状態オブジェクトＲａ２は、「照明装置」のグループに属する４台の照明装置４２Ａ，４２Ｂ，４２Ｃ，４２Ｄのうち、１台が消灯中で、３台が点灯中であることを表している。さらに、一括制御画面Ｓａ２の一括制御オブジェクトＢａ１は、「一括消灯」という文字列を含むボタンの画像からなる。つまり、この一括制御オブジェクトＢａ１は、４台の照明装置４２Ａ，４２Ｂ，４２Ｃ，４２Ｄを一括して消灯させる、一括制御を指示するためのオブジェクトである。さらに、一括制御画面Ｓａ２は、シーン制御用の画面に遷移するためのシーン制御オブジェクトＢａ３を含んでいる。シーン制御オブジェクトＢａ３は、「シーン」という文字列を含むボタンの画像からなる。
【００６０】
また、一括制御画面Ｓａ３においては、種別オブジェクトＲａ１は「シャッター」を表すアイコン、及び「シャッター」という文字列を含んでいる。さらに、一括制御画面Ｓａ３の個別状態オブジェクトＲａ２は、「開：１」、「閉：３」という文字列からなる。つまり、この個別状態オブジェクトＲａ２は、「シャッター」のグループに属する４台のシャッター４３Ａ，４３Ｂ，４３Ｃ，４３Ｄのうち、１台が開いており、３台が閉じていることを表している。さらに、一括制御画面Ｓａ３の一括制御オブジェクトＢａ１は、複数（ここでは３つ）のボタンＢａ１１，Ｂａ１２，Ｂａ１３からなる。「一括閉」という文字列を含むボタンＢａ１１は、４台のシャッター４３Ａ，４３Ｂ，４３Ｃ，４３Ｄを一括して閉じる、一括制御を指示するためのオブジェクトである。「一括停」という文字列を含むボタンＢａ１２は、４台のシャッター４３Ａ，４３Ｂ，４３Ｃ，４３Ｄの動作を一括して停止させる、一括制御を指示するためのオブジェクトである。「一括開」という文字列を含むボタンＢａ１３は、４台のシャッター４３Ａ，４３Ｂ，４３Ｃ，４３Ｄを一括して開ける、一括制御を指示するためのオブジェクトである。
【００６１】
上述したように、本実施形態では、一括制御オブジェクトＢａ１の表示態様は一律ではなく、グループに属する機器の種別によって一括制御オブジェクトＢａ１の表示態様が変更されている。つまり、一括制御オブジェクトＢａ１は、エアコン４１であれば「一括停止」、照明装置４２であれば「一括消灯」、シャッター４３であれば「一括閉」、「一括停」、「一括開」という文字列を含む。
【００６２】
個別制御画面Ｓｂ１は、給湯機４４についての個別制御画面である。つまり、給湯機４４については、機器制御システム２０にてグループが設定されていないため、第１操作画面Ｇ１０において、一括制御画面ではなく個別制御用の個別制御画面Ｓｂ１が表示される。
【００６３】
個別制御画面Ｓｂ１は、種別オブジェクトＲｂ１と、センサー情報オブジェクトＲｂ２と、状態オブジェクトＲｂ３と、個別制御オブジェクトＢｂ１，Ｂｂ２と、関連情報オブジェクトＢｂ６と、を含んでいる。
【００６４】
種別オブジェクトＲｂ１は、個別制御画面Ｓｂ１の対象となる機器の種別（ここでは「給湯機」）を表すオブジェクトである。種別オブジェクトＲｂ１は、機器の種別を表すアイコン、及び文字列（ここでは「給湯機」）を含んでいる。
【００６５】
センサー情報オブジェクトＲｂ２は、機器（ここでは、給湯機４４）に内蔵された、又は関連付けられたセンサーの計測情報を表すオブジェクトである。ここでいう計測情報は、例えば貯湯式の給湯機４４の残湯量等である。図１の個別制御画面Ｓｂ１においては、センサー情報オブジェクトＲｂ２は、「４０％」という文字列からなる。つまり、このセンサー情報オブジェクトＲｂ２は、給湯機４４の残湯量が満水状態の４０％であることを表している。
【００６６】
状態オブジェクトＲｂ３は、個別制御画面Ｓｂ１の対象となる機器（ここでは、給湯機４４）の状態を表すオブジェクトである。図１の個別制御画面Ｓｂ１においては、状態オブジェクトＲｂ３は、「運転中」、「停止中」という文字列からなる。「運転中」、「停止中」の文字列は、それぞれ個別制御オブジェクトＢｂ１、個別制御オブジェクトＢｂ２に対応する。個別制御オブジェクトＢｂ１は、「沸き増し停止」という文字列を含むボタンの画像からなり、個別制御オブジェクトＢｂ２は、「ふろ自動」という文字列を含むボタンの画像からなる。つまり、状態オブジェクトＲｂ３は、給湯機４４の沸き増し機能が運転中（動作中）であって、湯張り機能が停止中であることを表している。
【００６７】
個別制御オブジェクトＢｂ１，Ｂｂ２は、個別制御画面Ｓｂ１の対象となる機器（ここでは、給湯機４４）に対する個別制御を指示するためのオブジェクトである。ここでいう個別制御は、「（２．１）機器制御システム」の欄で説明したように、機器を個別に制御することを意味する。個別制御オブジェクトＢｂ１は、給湯機４４の沸き増し機能を停止させる、個別制御を指示するためのオブジェクトである。個別制御オブジェクトＢｂ２は、給湯機４４の湯張り機能を開始させる、個別制御を指示するためのオブジェクトである。
【００６８】
そのため、個別制御オブジェクトＢｂ１がタップされると、表示制御システム１０から機器制御システム２０に給湯機４４の沸き増し機能を停止させるための指示が出力される。これにより、機器制御システム２０は、給湯機４４の沸き増し機能を停止させ、制御後の給湯機４４の状態を表す情報を、表示制御システム１０に送信する。表示制御システム１０は、機器制御システム２０から受信した情報に基づいて、個別制御画面Ｓｂ１を更新する。同様に、個別制御オブジェクトＢｂ２がタップされると、表示制御システム１０から機器制御システム２０に給湯機４４の湯張り機能を開始させるための指示が出力される。
【００６９】
関連情報オブジェクトＢｂ６は、個別制御画面Ｓｂ１の対象となる機器（ここでは、給湯機４４）に関連する情報を表示する、関連情報画面に遷移するためのオブジェクトである。図１の個別制御画面Ｓｂ１においては、関連情報オブジェクトＢｂ６は、「湯の使用量」という文字列を含むボタンの画像からなる。関連情報オブジェクトＢｂ６がタップされると、第１操作画面Ｇ１０から、例えば、湯の使用量を表す画面に遷移する。
【００７０】
なお、図１では、３つの一括制御画面Ｓａ１〜Ｓａ３、及び個別制御画面Ｓｂ１を一覧表示しているが、第１操作画面Ｇ１０は、更に多くの一括制御画面及び個別制御画面を含んでいてもよい。この場合、ユーザがボタンＢ１３（スクロールバー）を操作して第１操作画面Ｇ１０を縦方向にスクロールすることで、残りの一括制御画面及び個別制御画面を表示部１１に表示させることができる。
【００７１】
（２．３．２）第２操作画面
図４に示す第２操作画面Ｇ２０は、第１操作画面Ｇ１０（図１参照）にて一括制御画面Ｓａ１の遷移オブジェクトＢａ２がタップされたときに、表示部１１に表示される画面である。第２操作画面Ｇ２０は、第１操作画面Ｇ１０の一括制御画面Ｓａ１から遷移した個別制御画面Ｓｂ１１〜Ｓｂ１３を含んでいる。つまり、個別制御画面Ｓｂ１１〜Ｓｂ１３は、一括制御画面Ｓａ１の対象となるグループに属する機器（ここでは、エアコン４１Ａ，４１Ｂ，４１Ｃ）の個別制御のための画面である。図４の例では、個別制御画面Ｓｂ１１の右方に個別制御画面Ｓｂ１２、個別制御画面Ｓｂ１１の下方に個別制御画面Ｓｂ１３が配置される。さらに、第２操作画面Ｇ２０は、個別制御画面Ｓｂ１１〜Ｓｂ１３の周囲に配置された、表題オブジェクトＲ２１、及びボタンＢ２１〜Ｂ２３を含んでいる。
【００７２】
表題オブジェクトＲ２１は、第２操作画面Ｇ２０の表題を表す領域であって、機器制御のアイコン（リモートコントローラのアイコン）と、「エアコン」という文字列とを含んでいる。さらに、第２操作画面Ｇ２０が第１操作画面Ｇ１０の下位層であることを表すように、表題オブジェクトＲ２１には、「機器・センサー＞エアコン」という文字列が含まれている。ボタンＢ２１〜Ｂ２３は、それぞれ第１操作画面Ｇ１０のボタンＢ１１〜Ｂ１３と同様の機能を有する。
【００７３】
個別制御画面Ｓｂ１１〜Ｓｂ１３は、それぞれエアコン４１Ａ，４１Ｂ，４１Ｃについての個別制御画面である。つまり、図４の例では、「エアコン」のグループに属する２台以上の機器についての個別制御画面が、第２操作画面Ｇ２０として、表示部１１に一覧表示されている。
【００７４】
以下では、個別制御画面Ｓｂ１１〜Ｓｂ１３のうち、エアコン４１Ａについての個別制御画面Ｓｂ１１の構成を先に説明し、個別制御画面Ｓｂ１２，Ｓｂ１３において個別制御画面Ｓｂ１１と同様の構成の説明は省略する。また、個別制御画面Ｓｂ１１の各々の構成は、基本的には、「（２．３．１）第１操作画面」の欄で説明した個別制御画面Ｓｂ１と同様であるから、以下では、個別制御画面Ｓｂ１１において個別制御画面Ｓｂ１と同様の構成の説明は省略する。
【００７５】
個別制御画面Ｓｂ１１は、個別制御画面Ｓｂ１の個別制御オブジェクトＢｂ１，Ｂｂ２及び関連情報オブジェクトＢｂ６に代えて、個別制御オブジェクトＢｂ３、及び詳細制御オブジェクトＢｂ４，Ｂｂ５を含んでいる。
【００７６】
個別制御画面Ｓｂ１１の種別オブジェクトＲｂ１は、「エアコン」を表すアイコン、及び「リビング北東側・エアコン」という機器（エアコン４１Ａ）の名称を表す文字列を含んでいる。さらに、個別制御画面Ｓｂ１１のセンサー情報オブジェクトＲｂ２は、「屋外：３０℃」、「室内：２８℃／湿度６０％」という文字列からなる。つまり、このセンサー情報オブジェクトＲｂ２は、エアコン４１Ａに内蔵された、又は関連付けられたセンサーで計測された屋外、室内の温湿度を表している。
【００７７】
さらに、個別制御画面Ｓｂ１１の状態オブジェクトＲｂ３は、「運転中」、「冷房２８℃」、「１７：００」という文字列からなる。「運転中」、「冷房２８℃」、「１７：００」の文字列は、それぞれ個別制御オブジェクトＢｂ３、詳細制御オブジェクトＢｂ４、詳細制御オブジェクトＢｂ５に対応する。個別制御オブジェクトＢｂ３は、「停止」という文字列を含むボタンの画像からなる。詳細制御オブジェクトＢｂ４は、「詳細操作」という文字列を含むボタンの画像からなり、詳細制御オブジェクトＢｂ５は、「タイマー」という文字列を含むボタンの画像からなる。つまり、状態オブジェクトＲｂ３は、エアコン４１Ａが運転中であって、運転モードが「冷房」で温度設定値が「２８℃」、タイマー時刻が「１７：００」に設定されていることを表している。
【００７８】
個別制御画面Ｓｂ１１の個別制御オブジェクトＢｂ３は、エアコン４１Ａを停止させる、個別制御を指示するためのオブジェクトである。詳細制御オブジェクトＢｂ４，Ｂｂ５は、一括制御で制御される内容よりも詳細な詳細制御を指示するためのオブジェクトである。具体的には、詳細制御オブジェクトＢｂ４は、詳細制御画面に遷移するためのオブジェクトである。詳細制御オブジェクトＢｂ４がタップされると、第２操作画面Ｇ２０から第３操作画面Ｇ３０（図５参照）に遷移する。第３操作画面Ｇ３０は、個別制御画面Ｓｂ１１の対象となる機器（ここでは、エアコン４１Ａ）の詳細制御のための詳細制御画面である。詳細制御オブジェクトＢｂ５は、詳細制御として、オンタイマー又はオフタイマーを設定するためのオブジェクトである。詳細制御オブジェクトＢｂ５がタップされると、タイマーの設定／解除、及びタイマー時刻の変更等を行うタイマー設定画面に遷移する。
【００７９】
また、個別制御画面Ｓｂ１２においては、種別オブジェクトＲｂ１は、「エアコン」を表すアイコン、及び「寝室・エアコン」という機器（エアコン４１Ｂ）の名称を表す文字列を含んでいる。
【００８０】
また、個別制御画面Ｓｂ１３においては、種別オブジェクトＲｂ１は、「エアコン」を表すアイコン、及び「リビング南側・エアコン」という機器（エアコン４１Ｃ）の名称を表す文字列を含んでいる。この例では、エアコン４１Ｃについてタイマー時刻が設定されていない場合を想定しており、個別制御画面Ｓｂ１３の状態オブジェクトＲｂ３にはタイマー時刻の表記がない。さらに、エアコン４１Ｃが停止中である場合を想定しており、個別制御画面Ｓｂ１３の状態オブジェクトＲｂ３には、個別制御オブジェクトＢｂ３に対応して「停止中」の文字列が表示される。種別オブジェクトＲｂ１中のアイコンは、状態オブジェクトＲｂ３に連動しており、エアコン４１Ｃが停止中であれば、種別オブジェクトＲｂ１中のアイコンは非アクティブになる。また、個別制御画面Ｓｂ１３の個別制御オブジェクトＢｂ３は、「運転」という文字列を含むボタンの画像からなる。
【００８１】
（２．３．３）第３操作画面
図５に示す第３操作画面Ｇ３０は、第２操作画面Ｇ２０（図４参照）にて個別制御画面Ｓｂ１１の詳細制御オブジェクトＢｂ４がタップされたときに、表示部１１に表示される画面である。第３操作画面Ｇ３０は、第２操作画面Ｇ２０の個別制御画面Ｓｂ１１から遷移した詳細制御画面である。つまり、第３操作画面Ｇ３０は、個別制御画面Ｓｂ１１の対象となるエアコン４１Ａについて、詳細制御の設定及び指示を行うための画面である。図５の例では、第３操作画面Ｇ３０は、表題オブジェクトＲ３１、状態オブジェクトＲ３２、詳細項目オブジェクトＲ３３、センサー情報オブジェクトＲ３４、及びボタンＢ３１〜Ｂ３７を含んでいる。
【００８２】
表題オブジェクトＲ３１は、第３操作画面Ｇ３０の表題を表す領域であって、機器制御のアイコン（リモートコントローラのアイコン）と、「詳細操作［寝室・エアコン］」という文字列とを含んでいる。さらに、第３操作画面Ｇ３０が第２操作画面Ｇ２０の下位層であることを表すように、表題オブジェクトＲ３１には、「機器・センサー＞エアコン＞詳細操作［寝室・エアコン］」という文字列が含まれている。ボタンＢ３１，Ｂ３２は、それぞれ第１操作画面Ｇ１０のボタンＢ１１，Ｂ１２と同様の機能を有する。
【００８３】
状態オブジェクトＲ３２は、詳細制御の対象となる機器（ここでは、エアコン４１Ａ）の状態を表すオブジェクトである。図５の第３操作画面Ｇ３０においては、状態オブジェクトＲ３２は、「エアコン」を表すアイコン、及び「運転中」という文字列からなる。つまり、状態オブジェクトＲ３２は、エアコン４１Ａが運転中であることを表している。なお、状態オブジェクトＲ３２中のアイコンは、個別制御画面Ｓｂ１１の種別オブジェクトＲｂ１中のアイコンと同様に、エアコン４１Ａの状態に連動して表示態様が変化し、エアコン４１Ａが停止中であれば非アクティブになる。
【００８４】
詳細項目オブジェクトＲ３３は、エアコン４１Ａの詳細制御に関する設定項目を、現在の設定状態と共に表すオブジェクトである。ここでは、詳細項目オブジェクトＲ３３は、運転モード、温度設定値、風量、及び風向きの４つの設定項目を含んでいる。図５の例では、詳細項目オブジェクトＲ３３は、運転モードが「自動」であることを表し、温度設定値が「２８℃」であることを表し、風量が４段階中の３段階目であることを表している。      
【００８５】
ボタンＢ３３〜Ｂ３６は、エアコン４１Ａの詳細制御に関する設定項目を変更するためのオブジェクトである。ボタンＢ３３〜Ｂ３６は、詳細項目オブジェクトＲ３３における４つの設定項目に一対一に対応している。ボタンＢ３３〜Ｂ３６の各々は、「変更」の文字列を含むボタンの画像からなる。例えば、ボタンＢ３３がタップされると、表示制御システム１０は、運転モードを選択するための画面を表示する。ボタンＢ３４がタップされると、表示制御システム１０は、温度設定値を選択するための画面を表示する。ボタンＢ３５がタップされると、表示制御システム１０は、風量を選択するための画面を表示する。ボタンＢ３６がタップされると、表示制御システム１０は、風向きを選択するための画面を表示する。各画面において、設定項目が変更されると、表示部１１には、再度、第３操作画面Ｇ３０が表示される。この場合、第３操作画面Ｇ３０の詳細項目オブジェクトＲ３３には、変更前及び変更後の両方の内容が表示される。図５の例では、温度設定値について、変更前の「２８℃」と、変更後の「２６℃」とが表示されている。
【００８６】
ボタンＢ３７は、機器制御システム２０に詳細制御を実行させるためのボタンである。ボタンＢ３７は、機器制御のアイコン（リモートコントローラのアイコン）と、「設定送信」という文字列とを含むボタンの画像からなる。つまり、ボタンＢ３７がタップされることにより、表示制御システム１０から機器制御システム２０に詳細項目オブジェクトＲ３３の内容が送信され、機器制御システム２０にて詳細制御が実行される。
【００８７】
センサー情報オブジェクトＲ３４は、「現在のお部屋回りの状況」という文字列と共に、施設２００の外部及び内部を表す画像中に、機器（ここでは、エアコン４１Ａ）に内蔵された、又は関連付けられたセンサーの計測情報を表示する。図５の例では、センサー情報オブジェクトＲ３４は、「室外温度：ＸＸ℃」、「室内温度：ＸＸ℃」、「室内湿度：ＸＸ％」という文字列にて計測情報を表示している。
【００８８】
（３）表示制御システム以外の具現化手段
上述した本実施形態に係る表示制御システム１０と同等の機能は、システムという手段に限らず、下記の各手段によっても具現化することができる。下記の各手段によって本実施形態に係る表示制御システム１０が具現化される場合でも、上述した種々の構成、及び後述する変形例を適宜組み合わせて適用可能である。
【００８９】
（３．１）表示制御方法
本実施形態に係る表示制御方法は、機器制御システム２０に指示を与える情報端末１の表示部１１に表示させる画面を生成する画面生成ステップを有する。機器制御システム２０は、制御対象である複数台の機器のうち同一種別の２台以上の機器からなるグループを少なくとも１つ設定する。機器制御システム２０は、同一のグループに属する２台以上の機器を一括して制御する一括制御と、同一のグループに属する２台以上の機器を個別に制御する個別制御と、の２種類の制御を行うように構成されている。画面生成ステップでは、コンピュータシステム１００により、一括制御オブジェクトＢａ１と、個別状態オブジェクトＲａ２とを含む一括制御画面Ｓａ１〜Ｓａ３を、グループごとに表示部１１に表示させる。一括制御オブジェクトＢａ１は、同一のグループに属する２台以上の機器に対する一括制御を指示するためのオブジェクトである。個別状態オブジェクトＲａ２は、同一のグループに属する２台以上の機器の各々の状態を表すオブジェクトである。
【００９０】
このような表示制御方法は、例えばコンピュータシステム１００の１つ又は複数のコンピュータにおいて、ＣＰＵがプログラムを実行することによって実現される。
【００９１】
（３．２）表示制御プログラム
本実施形態に係る表示制御プログラムは、コンピュータシステム１００を、機器制御システム２０に指示を与える情報端末１の表示部１１に表示させる画面を生成する画面生成部１０１として機能させるためのプログラムである。機器制御システム２０は、制御対象である複数台の機器のうち同一種別の２台以上の機器からなるグループを少なくとも１つ設定する。機器制御システム２０は、同一のグループに属する２台以上の機器を一括して制御する一括制御と、同一のグループに属する２台以上の機器を個別に制御する個別制御と、の２種類の制御を行うように構成されている。画面生成部１０１は、一括制御オブジェクトＢａ１と、個別状態オブジェクトＲａ２とを含む一括制御画面Ｓａ１〜Ｓａ３を、グループごとに表示部１１に表示させるように構成されている。一括制御オブジェクトＢａ１は、同一のグループに属する２台以上の機器に対する一括制御を指示するためのオブジェクトである。個別状態オブジェクトＲａ２は、同一のグループに属する２台以上の機器の各々の状態を表すオブジェクトである。
【００９２】
このような表示制御プログラムは、例えばコンピュータ１００の１つ又は複数のコンピュータにて実行される。表示制御プログラムは、インターネットなどの電気通信回線を通じて、又はメモリカードなどの記録媒体に記録されて提供されてもよいし、コンピュータのメモリに予め記録されていてもよい。
【００９３】
（４）利点
以上説明したように、本実施形態の表示制御システム１０は、機器制御システム２０に指示を与える情報端末１の表示部１１に表示させる画面を生成する画面生成部１０１を備える。機器制御システム２０は、制御対象である複数台の機器のうち同一種別の２台以上の機器からなるグループを少なくとも１つ設定する。機器制御システム２０は、同一のグループに属する２台以上の機器を一括して制御する一括制御と、同一のグループに属する２台以上の機器を個別に制御する個別制御と、の２種類の制御を行うように構成されている。画面生成部１０１は、一括制御オブジェクトＢａ１と、個別状態オブジェクトＲａ２とを含む一括制御画面Ｓａ１〜Ｓａ３を、グループごとに表示部１１に表示させるように構成されている。一括制御オブジェクトＢａ１は、同一のグループに属する２台以上の機器に対する一括制御を指示するためのオブジェクトである。個別状態オブジェクトＲａ２は、同一のグループに属する２台以上の機器の各々の状態を表すオブジェクトである。
【００９４】
この構成によれば、一括制御画面Ｓａ１〜Ｓａ３は、一括制御オブジェクトＢａ１と個別状態オブジェクトＲａ２とを含むので、ユーザは、一括制御画面Ｓａ１〜Ｓａ３において、複数台の機器を一括して制御する際に個々の機器の状態を確認できる。例えば、同一のグループに属する２台以上の機器のうち１台だけが停止中である場合に、ユーザは、一括制御オブジェクトＢａ１にて同一のグループに属する２台以上の機器を全て運転させれば、停止中の１台の機器を運転させることができる。このように、同一のグループに属する２台以上の機器の個々の状態が分かれば、例えば、同一のグループに属する２台以上の機器の状態が運転又は停止のいずれかに偏っている等、同一のグループに属する２台以上の機器の現状を詳細に把握できる。したがって、ユーザは、複数台の機器を一括して制御する際に、同一のグループに属する２台以上の機器の現状を考慮して、個々の機器の状態に合わせた制御が可能になる。その結果、複数台の機器を一括して制御する際に、より適切な制御が可能となる、という利点がある。「（３）表示制御システム以外の具現化手段」の欄で説明した表示制御方法、及び表示制御プログラムにおいても、同様の利点がある。
【００９５】
本実施形態のように、画面生成部１０１は、同一のグループに属する２台以上の機器の各々に対する個別制御を指示するための個別制御オブジェクトＢｂ３を含む個別制御画面Ｓｂ１１〜Ｓｂ１３を、表示部１１に表示させるように構成されていることが好ましい。この場合、一括制御画面Ｓａ１〜Ｓａ３には、個別制御画面Ｓｂ１１〜Ｓｂ１３に遷移するための遷移オブジェクトＢａ２が含まれていることが好ましい。この構成によれば、一括制御画面Ｓａ１〜Ｓａ３から個別制御画面Ｓｂ１１〜Ｓｂ１３への遷移が容易であり、ユーザは、複数台の機器を一括して制御する際において、必要に応じて個別制御を指示することができる。ただし、この構成は表示制御システム１０に必須の構成ではなく、一括制御画面Ｓａ１〜Ｓａ３から遷移オブジェクトＢａ２が省略されてもよい。
【００９６】
また、この場合、本実施形態のように、個別制御画面Ｓｂ１１〜Ｓｂ１３には、一括制御で制御される内容よりも詳細な詳細制御を指示するための詳細制御オブジェクトＢｂ４，Ｂｂ５が含まれていることが好ましい。この構成によれば、個別制御画面Ｓｂ１１〜Ｓｂ１３に遷移することで、一括制御には含まれない詳細な制御についても可能になり、より一層適切な制御が可能となる。ただし、この構成は表示制御システム１０に必須の構成ではなく、個別制御画面Ｓｂ１１〜Ｓｂ１３から詳細制御オブジェクトＢｂ４，Ｂｂ５が省略されてもよい。
【００９７】
また、本実施形態のように、グループは複数設定されており、画面生成部１０１は、複数のグループのうち少なくとも２つ以上のグループについての一括制御画面Ｓａ１〜Ｓａ３を、表示部１１に一覧表示させるように構成されていることが好ましい。この構成によれば、ユーザは、わざわざ表示部１１に表示されている画面を切り替えることなく、２つ以上のグループについて、複数台の機器を一括して制御することができる。ただし、この構成は表示制御システム１０に必須の構成ではなく、表示部１１には１つのグループについての一括制御画面が表示されてもよい。
【００９８】
また、本実施形態のように、画面生成部１０１は、グループに属する２台以上の機器の種別によって、一括制御オブジェクトＢａ１の表示態様を変更するように構成されていることが好ましい。この構成によれば、例えば、エアコン４１であれば「一括停止」、照明装置４２であれば「一括消灯」、シャッター４３であれば「一括閉」、「一括停」、「一括開」というように、一括制御オブジェクトＢａ１の表示態様を機器の種別に合わせることができる。ただし、この構成は表示制御システム１０に必須の構成ではなく、一括制御オブジェクトＢａ１の表示態様は、例えば、全ての機器の種別について「一括運転」又は「一括停止」のように、一律であってもよい。
【００９９】
（５）変形例
実施形態１で説明した構成は、本発明の一例に過ぎず、本発明は実施形態１に限定されず、実施形態１以外であっても、本発明に係る技術的思想を逸脱しない範囲であれば、設計等に応じて種々の変更が可能である。以下、実施形態１の変形例を列挙する。
【０１００】
情報端末１は、専用モニタ及びスマートフォンに限らず、タブレット端末等の携帯情報端末、パーソナルコンピュータ、又はスマートテレビ等のネットワーク４に接続可能な情報端末であってもよい。さらに、実施形態１では、画面生成部１０１で生成された第１操作画面Ｇ１０等の画面が情報端末１Ａに表示される場合について例示したが、画面生成部１０１で生成された第１操作画面Ｇ１０等の画面は、他の情報端末１Ｂ，１Ｃに表示されてもよい。
【０１０１】
また、表示制御システム１０は、実施形態１では情報端末１にて実現されているが、この構成に限らず、例えば、情報端末１とコントローラ２とサーバ装置３とのうちの２つ以上の装置に分散して設けられてもよい。また、表示制御システム１０は、情報端末１ではなく、コントローラ２又はサーバ装置３に設けられてもよい。この場合、情報端末１が単なるブラウザであっても、コントローラ２又はサーバ装置３にて第１操作画面Ｇ１０等が生成される。さらに、表示制御システム１０は、コントローラ２及びサーバ装置３のそれぞれに設けられてもよい。この場合、第１操作画面Ｇ１０等の配信先（情報端末１Ａ，１Ｂ，１Ｃのいずれか）によって、コントローラ２とサーバ装置３とのいずれが第１操作画面Ｇ１０等を生成するか、決まってもよい。一例として、第１操作画面Ｇ１０等の配信先が情報端末１Ａ又は１Ｂであれば、コントローラ２が第１操作画面Ｇ１０等を生成し、第１操作画面Ｇ１０等の配信先が情報端末１Ｃであれば、サーバ装置３が第１操作画面Ｇ１０等を生成する。
【０１０２】
さらにまた、コンピュータシステム１００が、情報端末１、コントローラ２、及びサーバ装置３を備えることは必須ではない。コンピュータシステム１００は、例えば、情報端末１とコントローラ２とサーバ装置３とのうちの少なくとも１つの装置によって構成されてもよい。表示制御システム１０の少なくとも一部の機能は、例えば、クラウド（クラウドコンピューティング）によって実現されてもよい。
【０１０３】
また、画面生成部１０１で生成される第１操作画面Ｇ１０等の画面の画面構成及び内容は、実施形態１で例示した画面構成及び内容に限らず、適宜変更が可能である。例えば、個別状態オブジェクトＲａ２は、アイコンやキャラクタを用いたアニメーション等で表されてもよい。
【０１０４】
また、機器制御システム２０の制御対象となる機器は、エアコン４１、照明装置４２、シャッター４３及び給湯機４４に限らず、例えば、空気清浄機、サッシ及び換気扇等を含んでいてもよい。
【０１０５】
（実施形態２）
本実施形態に係る表示制御システム１０では、１台の機器のみからなる制御単位については、画面生成部１０１は、自動的に、一括制御画面に代えて個別制御画面を表示部１１に表示させる点で実施形態１に係る表示制御システム１０と相違する。以下、実施形態１と同様の構成については、実施形態１と共通の符号を付して適宜説明を省略する。
【０１０６】
すなわち、機器制御システム２０の制御対象である複数台の機器のうち、複数台の機器を種別ごとに複数の制御単位に分類したときに１台の機器からなる制御単位については、グループを成さないため、一括制御の対象にはならない。そこで、本実施形態では、画面生成部１０１は、機器制御システム２０の制御対象である複数台の機器について、同一種別に分類される機器の台数によって、一括制御画面か個別制御画面かを自動的に選択して表示部１１に表示させる。
【０１０７】
例えば、施設２００に設置されているエアコン４１が１台のエアコン４１Ａのみである場合、エアコン４１が分類される制御単位Ｕ１は、１台の機器（エアコン４１Ａ）からなるため、エアコン４１については、グループは設定されない。その一方で、施設２００に設置されている照明装置４２が複数台であれば、照明装置４２が分類される制御単位Ｕ２は、４台の機器（照明装置４２）からなるため、照明装置４２については、グループが設定される。この場合、画面生成部１０１は、エアコン４１については、一括制御画面Ｓａ１（図１参照）に代えて、個別制御画面Ｓｂ１１（図６参照）を表示部１１に表示させ、照明装置４２については一括制御画面Ｓａ２（図６参照）を表示部１１に表示させる。
【０１０８】
すなわち、施設２００に設置されているエアコン４１が１台のエアコン４１Ａのみである場合、図６に示すように、第１操作画面Ｇ４０には、一括制御画面Ｓａ１（図１参照）に代えて個別制御画面Ｓｂ１１が含まれることになる。図６に示す第１操作画面Ｇ４０は、図１に示す第１操作画面Ｇ１０の一括制御画面Ｓａ１が、図４に示す第２操作画面Ｇ２０の個別制御画面Ｓｂ１１に置き換えられただけであるから、ここでは第１操作画面Ｇ４０について詳細な説明は省略する。この例において、後に、エアコン４１の増設などにより、施設２００に複数台のエアコン４１が導入された場合には、機器制御システム２０にてエアコン４１についてグループが設定されるので、個別制御画面Ｓｂ１１が一括制御画面Ｓａ１に置き換えられる。
【０１０９】
以上説明したように、画面生成部１０１は、特定の制御単位については、一括制御画面Ｓａ１に代えて、個別制御画面Ｓｂ１１を表示部１１に表示させるように構成されていることが好ましい。ここでいう「特定の制御単位」は、機器制御システム２０の制御対象である複数台の機器のうち、複数台の機器を種別ごとに複数の制御単位に分類したときに１台の機器からなる制御単位である。この構成によれば、グループが設定されていない機器については、自動的に、一括制御画面Ｓａ１に代えて、個別制御画面Ｓｂ１１が表示されることになる。したがって、一括制御画面Ｓａ１から個別制御画面Ｓｂ１１に遷移するためのユーザの操作が不要になり、ユーザの操作がより簡単になる。
【０１１０】
また、実施形態２で説明した構成は、表示制御システムに限らず、表示制御方法及び表示制御プログラムにも適用可能である。さらに、実施形態２で説明した構成は、実施形態１で説明した構成（変形例）と適宜組み合わせて適用可能である。
【符号の説明】
【０１１１】
１，１Ａ，１Ｂ，１Ｃ  情報端末
１０  表示制御システム
１１  表示部
２０  機器制御システム
４１，４１Ａ，４１Ｂ，４１Ｃ  エアコン（機器）
４２，４２Ａ，４２Ｂ，４２Ｃ，４２Ｄ  照明装置（機器）
４３，４３Ａ，４３Ｂ，４３Ｃ，４３Ｄ  シャッター（機器）
４４  給湯機（機器）
１００  コンピュータシステム
１０１  画面生成部
Ｂａ１  一括制御オブジェクト
Ｂａ２  遷移オブジェクト
Ｂｂ１，Ｂｂ２，Ｂｂ３  個別制御オブジェクト
Ｂｂ４，Ｂｂ５  詳細制御オブジェクト
Ｒａ２  個別状態オブジェクト
Ｓａ１，Ｓａ２，Ｓａ３  一括制御画面
Ｓｂ１，Ｓｂ１１，Ｓｂ１２，Ｓｂ１３  個別制御画面
Ｕ１，Ｕ２，Ｕ３，Ｕ４  制御単位
【図１】
2018007158.tif 000003
【図２】
2018007158.tif 000004
【図３】
2018007158.tif 000005
【図４】
2018007158.tif 000006
【図５】
2018007158.tif 000007
【図６】
2018007158.tif 000008